(57)【特許請求の範囲】
【請求項１】
遊技者のパチンコ機への接触の有無を検出するパチンコ機用タッチ入力回路の入力部回路構成であって、
遊技者が接触可能なタッチ入力配線と大地に接地したアースラインとの間に放電ギャップを設けるとともに、前記タッチ入力回路に電源を供給する直流電源供給回路の電源アースラインを、前記アースラインとは絶縁した状態で設けたことを特徴とするパチンコ機用タッチ入力回路の入力部回路構成。
【請求項２】
請求項１に記載のパチンコ機用タッチ入力回路の入力部回路構成において、前記タッチ入力配線における前記放電ギャップの接続部よりも前記タッチ入力回路側に、抵抗をタッチ入力配線に直列に追加接続したことを特徴とするパチンコ機用タッチ入力回路の入力部回路構成。
【発明の詳細な説明】
【０００１】
【発明の属する技術分野】
本発明は、パチンコ機に配備される電子基板に関するものである。
【０００２】
【従来の技術】
外部部品に電気的に接続される接続部と、接続部から侵入する異常な高電圧の回路内部への侵入を阻止する異常高電圧阻止手段とを含むパチンコ遊技機の打球発射制御回路が特公平７−３８８９２号として公知である。このものによれば、異常な高電圧に起因した打球発射制御回路への悪影響を極力防止することができ、打球発射制御回路の正常な動作を維持することができる。
【０００３】
このものにおける異常高電圧阻止手段は、遊技者の体に静電気が帯電している場合に、タッチ検出板から静電気に起因した高電圧が印加されると導通して高電圧を外部に流すともに回路内部への侵入を阻止するダイオードと、交流電源に接続された接続部から侵入した異常高電圧が印加されると導通してアースに流すと共に回路内部への侵入を阻止するバリスタとにより構成されている。
【０００４】
このように、異常高電圧による制御回路の誤動作を防ぐために、従来は、異常高電圧が印加された場合に導通するダイオードからなる半導体素子やバリスタよりなる制御整流素子を制御回路に設けている。
【０００５】
【発明が解決しようとする課題】
本発明の目的は、半導体素子や制御整流素子を用いることなく、従って、回路設計が単純に行え、かつ安価に高電圧防止を実現できるパチンコ機の電子基板を提供することにある。
【０００６】
【課題を解決するための手段】
前記目的を達成するための請求項１に記載の発明は、遊技者のパチンコ機への接触の有無を検出するパチンコ機用タッチ入力回路の入力部回路構成であって、遊技者が接触可能なタッチ入力配線と大地に接地したアースラインとの間に放電ギャップを設けるとともに、タッチ入力回路に電源を供給する直流電源供給回路の電源アースラインを、アースラインとは絶縁した状態で設けたことを特徴とするパチンコ機用タッチ入力回路の入力部回路構成である。
【０００７】
タッチ入力回路の入力部回路構成としてこのような回路構成を採用しておけば、遊技者に帯電した高圧静電気は放電ギャップとアースラインを通って大地に放電する。放電中、放電ギャップ間には放電電圧に等しい電位差が生じるが、タッチ入力回路の電源アースラインとアースラインとが絶縁されているためにその電位差は電源アースラインと大地に接地したアースラインとの間に電位差を生じさせるのみで、タッチ入力配線と電源アースライン間には電位差を殆ど生じさせない。従って、タッチ入力回路の静電気による破壊が防止される効果を奏する。
【０００８】
また、請求項２に記載の発明は、請求項１に記載のパチンコ機用タッチ入力回路の入力部回路構成において、タッチ入力配線における放電ギャップの接続部よりもタッチ入力回路側に、抵抗をタッチ入力配線に直列に追加接続したことを特徴とするパチンコ機用タッチ入力回路の入力部回路構成である。
【０００９】
タッチ入力回路の電源アースラインとアースラインとは絶縁されているが、その間には微小容量の浮遊コンデンサが存在する。放電ギャップにて放電が開始すると、タッチ入力回路の入力インピーダンスを介してその浮遊コンデンサが放電電圧まで充電される。浮遊コンデンサを放電電圧まで充電させる電荷量は浮遊コンデンサの静電容量が微小であるため僅かである。しかし、その電荷を供給するために入力インピーダンスを通して僅かな電流が流れ、タッチ入力配線と電源アースラインとの間に電圧を生じさせる。タッチ入力配線に直列に追加接続した抵抗はその電流の大きさを抑える働きをする。従って、タッチ入力配線と電源アースラインとの間の電圧ピーク値が抑えられ、タッチ入力回路が静電気により破壊されるのが防止される効果を奏する。
【００１０】
【発明の実施の形態】
以下、本発明の実施の形態を図面を参照して説明する。
図１は、本発明の実施の形態の一例であるパチンコ機に配備された打球発射装置の制御回路基板を示す平面図である。制御回路基板１は、図１において白い部分で示される絶縁部分２に対して図１において黒で塗り潰した部分で示される導電部分３を印刷したプリント配線基板である。制御回路基板１上において、符号４は、該制御回路基板１の作動電圧が入力される入力端の印刷パターンであり、符号５は、制御回路基板外のアースラインに、例えば、グランド接地または電源（ＡＣ２４Ｖ）に接続されているアースラインの印刷パターンである。
【００１１】
図２は、制御回路基板上に設けられる高電圧保護手段と抵抗体との接続状態を示す図である。図２に示すように、入力端の印刷パターン４には、アースラインの印刷パターン５の一部に向けて細い巾で延び出す延出部６が設けられ、入力端の印刷パターンの延出部６とアースラインの印刷パターン５との間の近接部分には、微小巾の絶縁部分によりギャップ７よりなる高電圧保護手段が設けられている。
【００１２】
ギャップ７の巾は、例えば、０．３ｍｍ程度であり、入力端の印刷パターン４とアースラインの印刷パターン５との間の電位差が略３００Ｖに達したときに、入力端の印刷パターン４に帯電した電荷が、微小巾のギャップ７を飛び越えてアースラインの印刷パターン５に向けて自然放電することができる。
【００１３】
また、図２における符号８は、制御回路基板１の制御回路部の印刷パターンを示しており、入力端の印刷パターン４及び制御回路部の印刷パターン８には、入力端子となるスルーホール９、接続端子となるスルーホール１０並びにスルーホール１１がそれぞれ制御回路基板１に穿設され、図２に示すように、入力端の印刷パターン４のスルーホール１０と制御回路部の印刷パターン８のスルーホール１１との間に抵抗体１２が接続されており、図２に示すように、入力端の印刷パターン４と制御回路部の印刷パターン８とが抵抗体Ｒを介して接続されている。抵抗体Ｒは、入力端の印刷パターン４において発生する高電圧による制御回路部への作用を阻止するための保護抵抗である。
【００１４】
図２のギャップ７及び抵抗体１２の作用について説明する。静電気の電荷が制御回路基板１の入力端の印刷パターン４に蓄積されると、入力端の印刷パターン４の電圧が高電圧に向かって上昇する。入力端の印刷パターン４の延出部６とアースラインの印刷パターン５との間の近接部分に、微小巾の絶縁部分で形成したギャップ７により、入力端の印刷パターン４の電圧が高電圧（略３００Ｖ）に達しない間は、入力端の印刷パターン４に蓄積された静電荷は放電されない。換言すると、入力端の印刷パターン４とアースラインの印刷パターン５とにより、１つのコンデンサが形成されていることとなる。
【００１５】
この間、入力端の印刷パターン４と制御回路部の印刷パターン８とを接続する抵抗体１２が、その抵抗値によって、制御回路部の印刷パターン８に対して、入力端の印刷パターン４において蓄積されていく静電荷による上昇電圧の作用を阻止する。入力端の印刷パターン４の電圧が高電圧に達すると、入力端の印刷パターン４に蓄積されている静電荷が、入力端の印刷パターン４の延出部６から微小巾のギャップ７を飛び越えてアースラインの印刷パターン５に向けて自然放電し、入力端の印刷パターン４に印加された高電圧が除去される。
【００１６】
図３乃至図５は図２のギャップ７及び抵抗体１２を含む制御回路基板１に実装された打球発射制御回路を示す回路図である。打球発射制御回路は、図３に示す直流電源供給回路１３と図４に示す発振回路１４、分周回路１５及びタッチ入力回路１６と、図５に示すパルスモータ出力回路１７とにより構成されている。
【００１７】
図３に示す直流電源供給回路１３は、ＣＮ１の端子１と端子２との間に商用電源（ＡＣ２４Ｖ）が接続され、ＣＮ２の端子１と端子２との間を外部のスイッチ（図示せず）によりオン・オフすることにより、電源のオン・オフを可能とされている。ブリッジ整流器１８により交流入力ＡＣ２４Ｖを全波整流して直流電圧を得ると共に、コンデンサＣ１によりこれを平滑して所定の直流電圧とし、３端子レギュレータ１９によりパルスモータ（２相）（図示せず）駆動用の電源Ｖｍを得ている。また、コンデンサＣ１により平滑された直流電圧は、抵抗Ｒ１〜Ｒ４、ツェナーダイオードＺＤ及びコンデンサＣ２〜Ｃ７により制御用直流電圧Ｖｃｃに変換され、図４及び図５に示す各回路の作動電圧として取り出される。
なお、３端子レギュレータ１９は、過電流時には電源供給を阻止する。
【００１８】
図４において、発振回路１４は、水晶発振子Ｘ１にそれぞれ並列接続された抵抗Ｒ１６、インバータＵ０１と、水晶発振子Ｘ１にそれぞれ直列接続されたコンデンサＣ１１、Ｃ１２とによりなり、所定の周波数を出力する。分周回路１５は、フリップフロップにより構成され、発振回路１４からの発振パルスを分周し、出力Ｑ１２からタッチ信号検出用の基準クロック信号Ｓ１をタッチ入力回路に出力すると共に、出力Ｑ１４からはパルスモータ駆動制御用の基本クロック信号Ｓ２をパルスモータ出力回路１７に出力する。
【００１９】
タッチ入力回路１６は、図２に示す入力端の印刷パターン４に相当するタッチ入力端子としてのＣＮ３と、ギャップ７と、抵抗体１２に相当する抵抗Ｒと、制御回路部の印刷パターン８に相当する抵抗Ｒの後段のタッチ入力回路１６の主要部とからなる。
【００２０】
分周回路１５からの基準クロック信号Ｓ１は、インバータＵ０２によって反転された後に２つに分流され、一方はナンドゲートＵ０３の１番端子に抵抗Ｒ１３、抵抗Ｒ１２を経て入力され、他方は抵抗Ｒ１７と可変抵抗ＶＲ、抵抗Ｒ１８、抵抗Ｒ１４、インバータＵ０４を経てナンドゲートＵ０３の２番端子に入力される。ナンドゲートＵ０３の出力は、インバータＵ０５によって反転された後、ナンドゲートＵ０６の１番端子に入力され、ナンドゲートＵ０６の２番端子には、分周回路１５からの基準クロック信号Ｓ１が入力される。ナンドゲートＵ０６の出力は、リトリガブル単安定マルチバブレータＵ０７のマイナスエッジトリガ端子に入力される。
【００２１】
図６に示す各パルス波形を参照しつつタッチ入力回路１６の動作を説明する。人体が打球ハンドル（図示せず）に触れていない状態では、タッチ入力ＣＮ３に入力がなく、ナンドゲートＵ０３の２番端子への入力信号は、１番端子の入力信号に比べてＴ１遅れており、ナンドゲートＵ０６の１番端子には、Ｔ１に相当するパルス幅の正パルスが入力される。この時、ナンドゲートＵ０６の２番端子はローレベルであるので、ナンドゲートＵ０６の出力はハイレベルを保ち、マルチバブレータＵ０７はトリガされない。
【００２２】
人体が打球ハンドルに触れると、人体とコンデンサＣ１０との合成容量が抵抗Ｒ１３と構成する遅延回路によってナンドゲートＵ０３の１番端子に入力されるパルスの位相が、破線で示すようにＴ２だけ遅れる。この遅れ時間Ｔ２が前述の時間Ｔ１よりも大きい場合は、その差Ｔ２−Ｔ１に相当するパルス幅の正パルスがナンドゲートＵ０６の１番端子に入力される。この時、ナンドゲートＵ０６の２番端子は、ハイレベルであるので、ナンドゲートＵ０６の出力はＴ２−Ｔ１のマイナスパルスが出力される。このマイナスパルスによってマルチバブレータＵ０７がトリガされ、その出力信号Ｓ３がローレベルになり、パルスモータ出力回路１７を動作させる。
【００２３】
リトリガブル単安定マルチバブレータＵ０７は、抵抗Ｒ１５とコンデンサＣ１３によって決定される動作時間以内に入力にパルスが入力されている場合には、出力信号Ｓ３をローレベルに保持する。可変抵抗ＶＲは抵抗Ｒ１７、抵抗Ｒ１８、抵抗Ｒ１４との合成抵抗がインバータＵ０４の入力容量と構成する遅延回路の遅延時間を調整することで感度の調整を行う。
【００２４】
なお、人体が静電気により帯電して高電圧となっている場合、人体が打球ハンドルに触れた時、抵抗Ｒ９が、抵抗Ｒ９の後段のタッチ入力回路１６の主要部に対して高電圧の作用を阻止する。
【００２５】
図７に示す各パルス波形を参照しつつ図５に示すパルスモータ出力回路の動作を説明する。図４の分周回路１４から出力されたパルスモータ駆動制御用の基本クロック信号Ｓ２は、フリップフロップＵ０８の３番端子及びフリップフロップＵ０９の１３番端子にそれぞれ入力され、フリップフロップＵ０８、Ｕ０９によりパルスモータの２相励磁信号に変換され、フリップフロップＵ０８の１番端子及び２番端子、フリップフロップＵ０９の１４番端子及び１５番端子から出力される。
【００２６】
フリップフロップＵ０８の１番端子と２番端子とから出力された励磁信号は、ナンドゲートＵ１０、Ｕ１１によってそれぞれ反転され、さらにトランジスタと抵抗Ｒからなる反転回路ＤＴ１によって再び反転された後、４つのスイッチングトランジスタＴＲ１〜ＴＲ４を含む励磁回路２０にそれぞれ入力される。また、フリップフロップＵ０９の１４番端子と１５番端子とから出力される励磁信号は、インバータＵ１２、Ｕ１３によってそれぞれ反転され、さらにトランジスタと抵抗とからなる反転回路ＤＴ２によって再び反転された後、４つのスイッチングトランジスタＴＲ５〜ＴＲ８を含む励磁回路２１にそれぞれ入力される。
【００２７】
パルスモータ（図示せず）には２個の巻線があり、その一方が励磁回路２１からのＣＮ４の２番端子および４番端子に接続され、他方が励磁回路２０からのＣＮ４の１番端子および３番端子に接続されている。
【００２８】
フリップフロップＵ０９の１５番端子がハイレベルかつ１４番端子がローレベルの場合は、反転回路ＤＴ２のコレクタ１番がハイレベルかつコレクタ２番がローレベルになり、その結果、励磁回路２１のトランジスタＴＲ６とトランジスタＴＲ７とが導通するので、ＣＮ４の４番端子がプラスとなり、２番端子がマイナスとなる。
【００２９】
逆に、フリップフロップＵ０９の１５番端子がローレベルかつ１４番端子がハイレベルの場合は、反転回路ＤＴ２のコレクタ１番がローレベルかつコレクタ２番がハイレベルになり、その結果、励磁回路２１のトランジスタＴＲ５とトランジスタＴＲ８とが導通するので、ＣＮ４の４番端子がマイナスとなり、２番端子がプラスとなる。同様に、ＣＮ４の１番端子と３番端子にも交互に逆極性の電圧が出力されるので、パルスモータが一定の速度で回転される。
【００３０】
なお、図４のタッチ入力回路１６のタッチ入力ＣＮ３に接続される抵抗Ｒ９は、容量が１／２Ｗのものとされ、これにより抵抗Ｒ９を介して電荷がタッチ回路１６の内部に入力されるのを阻止している。また、放電を阻止する必要がなければ、１／１０Ｗのものでたりる。
【００３１】
なお、上記の実施の形態は、打球発射装置の制御回路基板に適用した一例を示すものであるが、打球発射装置の制御回路基板に限らず、本発明はパチンコ機に配備されている静電気が外部から入力されやすい制御回路基板に適用ことができ、例えば、図柄表示装置の変動停止スイッチからの信号が入力される制御回路基板やカード式パチンコ機における玉貸しスイッチ並びに精算スイッチからの信号が入力される制御回路基板に適用することもできる。
【００３２】
【発明の効果】
本発明のパチンコ機の電子基板によれば、パチンコ機に配備された制御回路基板において、帯電した電荷を一時的に蓄積した後に制御回路部外のアースラインに放電することにより、静電気の電荷によって制御回路基板の入力端子に印加された高電圧を除去する高電圧保護手段を設けたことにより、静電気により印加された高電圧を高電圧保護手段の放電現象によって除去するので、制御回路に高電圧が作用することにより生じる制御回路の損傷並びに制御回路の誤動作によるパチンコ機の異常動作を防止できる。
【００３３】
また、高電圧保護手段が、入力端の印刷パターンとアースラインの印刷パターンとの間の近接部分に、入力端側の帯電電荷をアースライン側に放電可能とする程度の微小巾の絶縁部分で形成したギャップにより構成されるので、プリント配線基板の印刷パターンにより製造でき、さらに入力端の印刷パターンと制御回路部の印刷パターンとを、制御回路部への高電圧の作用を阻止する抵抗体を介して接続するだけでよいので、特別に半導体素子や制御整流素子を用いたり格別の回路設計を行うことなく、回路設計が単純に行え、かつ安価に高電圧防止を実現できる。
【図面の簡単な説明】
【図１】本発明の実施の形態に係わるパチンコ機に配備された発射装置の制御回路基板を示す平面図
【図２】制御回路基板上に設けられる高電圧保護手段と抵抗体との接続状態を示す図
【図３】制御回路基板に実装された打球発射制御回路の一部である直流電源供給回路の回路図
【図４】制御回路基板に実装された打球発射制御回路の一部である発振回路、分周回路及びタッチ入力回路を示す回路図
【図５】制御回路基板に実装された打球発射制御回路の一部であるパルスモータ出力回路の回路図
【図６】タッチ入力回路におけるパルス信号波形を示すタイミングチャート
【図７】パルスモータ出力回路におけるパルス信号波形を示すタイミングチャート
【符号の説明】
１  制御回路基板
２  絶縁部分
３  導通部分
４  印刷パターン（入力端）
５  印刷パターン（アースライン）
６  延出部
７  ギャップ（高電圧保護手段）
８  印刷パターン（制御回路部）
９  スルーホール（入力端子）
１０  スルーホール（入力端接続端子）
１１  スルーホール（制御回路部接続端子）
１２  抵抗体
１３  直流電源供給回路
１４  発振回路
１５  分周回路
１６  タッチ入力回路
１７  パルスモータ出力回路
１８  ブリッジ整流器
１９  ３端子レギュレータ
２０  励磁回路
２１  励磁回路
【図１】
0003896551.tif 000002
【図２】
0003896551.tif 000003
【図３】
0003896551.tif 000004
【図４】
0003896551.tif 000005
【図５】
0003896551.tif 000006
【図６】
0003896551.tif 000007
【図７】
0003896551.tif 000008